(57)【要約】【課題】カード型の携帯機に曲げ応力が加えられた場合においても、内部に搭載されているプリント基板の損傷を防止することのできるカード型キーレスリモコン用携帯機を提供する。【解決手段】車両に搭載される通信機との間で通信を行い、遠隔操作にて当該車両の制御を行うカード型キーレスリモコン用携帯機において、電気回路を備えるプリント基板２と、当該プリント基板２を収納する上側ケース５、及び下側ケース４とからなり、下側ケース４、及び上側ケース５４は、互いに嵌合する嵌合突起６，７が４隅部近傍に形成され、プリント基板２は、２箇所の隅部近傍に嵌合突起６，７よりもやや広径の透孔８が穿設され、他の２箇所の隅部近傍には長孔９が形成され、下側ケース４の４隅部に形成された嵌合突起６をプリント基板２に形成された透孔８、及び長孔９を貫通させて上側ケース５の嵌合突起７と嵌合させる。【選択図】      図１
2004241476.tif 000002
【特許請求の範囲】
【請求項１】
車両に搭載される通信機との間で通信を行い、遠隔操作にて当該車両の制御を行うカード型キーレスリモコン用携帯機において、
電気回路を備える基板と、当該基板を収納する上側ケース、及び下側ケースとからなり、
前記上側ケース、及び下側ケースは、互いに嵌合する嵌合突起が４隅部近傍に形成され、
前記基板は、２箇所の隅部近傍に前記嵌合突起よりもやや広径の透孔が穿設され、他の２箇所の隅部近傍には長孔が形成され、前記下側ケースの４隅部に形成された嵌合突起を前記基板に形成された透孔、及び長孔を貫通させて前記上側ケースの嵌合突起と嵌合させることを特徴とするカード型キーレスリモコン用携帯機。
【請求項２】
前記上側ケース、及び下側ケースは、長辺、短辺を有する長方形状をなし、前記透孔は、当該長方形状の各ケースの一方の短辺に沿った隅部近傍に形成され、前記長孔は、各ケースの他方の短辺に沿った隅部近傍に形成されることを特徴とする請求項１に記載のカード型キーレスリモコン用携帯機。
【請求項３】
車両に搭載される通信機との間で通信を行い、遠隔操作にて当該車両の制御を行うカード型キーレスリモコン用携帯機において、
電気回路を備える基板と、当該基板を収納する上側ケース、及び下側ケースとからなり、
前記上側ケース、及び下側ケースは、互いに嵌合する嵌合突起が互いに隣接する２つの隅部近傍に形成され、且つ、各ケースの前記嵌合突起が形成された隅部から嵌合突起が形成されない隅部へ向かう辺の略中央部の前記上側ケースには、押圧用突起が形成され、
前記基板は、隅部の２箇所に前記嵌合突起よりもやや広径の透孔が穿設され、前記下側ケースの２隅部近傍に形成された嵌合突起を前記基板に形成された透孔に貫通させて、前記上側ケースの嵌合突起と嵌合させることを特徴とするカード型キーレスリモコン用携帯機。
【請求項４】
前記上側ケース、及び下側ケースは、長辺、短辺を有する長方形状をなし、前記透孔は、当該長方形状の各ケースの一方の短辺に沿った隅部近傍に形成され、前記押圧用突起は、各ケースの長辺の略中央部に形成されることを特徴とする請求項３に記載のカード型キーレスリモコン用携帯機。
【請求項５】
前記上側ケース、及び下側ケースは、樹脂にて形成されることを特徴とする請求項１〜請求項４のいずれか１項に記載のカード型キーレスリモコン用携帯機。
【発明の詳細な説明】
【０００１】
【発明の属する技術分野】
本発明は、車両用のキーレスリモコン装置に用いられるカード型携帯機の構造に係り、特に、当該携帯機が変形した場合でも内部基板の損傷を防止する技術に関する。
【０００２】
【従来の技術】
近年、車両用ドアロックの施錠、解錠を遠隔操作にて行う目的で、キーレスリモコン装置が多く用いられている。キーレスリモコン装置は、携帯機側の操作スイッチを押すことにより、ドアロックの施錠、解錠が可能となるので、わざわざ鍵穴にキーを差し込み、回転させるという煩わしい操作を回避することができる。
【０００３】
また、昨今においては、スイッチ操作を省略することが可能なパッシブ型のキーレスリモコン装置が考案され、実用に供されている。パッシブ型のキーレスリモコン装置は、車体側の通信装置と、携帯機との間で通信を行うことにより、携帯機を携行する人がこの車両に接近すると、自動的にドアを解錠し、反対に、車両から遠ざかると、自動的にドアを施錠するように制御する。
【０００４】
従って、車両の運転者は、スイッチ操作を行う必要がなくなるので、多くの荷物を持って両手がふさがっているような場合には、極めて有用である。
【０００５】
また、パッシブ型のキーレスリモコン装置用の携帯機は、通常、運転者の財布等に入れて所持することが多いので、カード型の携帯機が用いられている。つまり、携帯機をカード型とすることにより、財布や定期入れ等に容易に入れておくことができるようにし、また、紛失を防止するという効果がある。
【０００６】
【発明が解決しようとする課題】
しかしながら、携帯機をカード型の形状とし、該携帯機を財布に入れて運転者が所持する場合には、例えば、ズボンの後側のポケットに入れた場合、携帯機に曲げ応力が加えられる場合がある。即ち、図７に示すように、回路基板１０２が収納ケース１０３に収納された状態で、当該収納ケース１０３に撓みが生じると、回路基板１０２が収納ケース１０３と共に撓んでしまう。
【０００７】
このような場合には、携帯機の内部に搭載されている回路基板１０２に無理なストレスが加えられることになり、回路基板１０２が破損したり、或いは回路基板１０２に実装されている部品が脱落してしまうという問題があった。
【０００８】
この発明は、このような従来の課題を解決するためになされたものであり、その目的とするところは、カード型の携帯機に曲げ応力が加えられた場合においても、内部に搭載されている基板の損傷を防止することのできるカード型キーレスリモコン用携帯機を提供することにある。
【０００９】
【課題を解決するための手段】
上記目的を達成するため、本願請求項１に記載の発明は、車両に搭載される通信機との間で通信を行い、遠隔操作にて当該車両の制御を行うカード型キーレスリモコン用携帯機において、電気回路を備える基板と、当該基板を収納する上側ケース、及び下側ケースとからなり、前記上側ケース、及び下側ケースは、互いに嵌合する嵌合突起が４隅部近傍に形成され、前記基板は、２箇所の隅部近傍に前記嵌合突起よりもやや広径の透孔が穿設され、他の２箇所の隅部近傍には長孔が形成され、前記下側ケースの４隅部に形成された嵌合突起を前記基板に形成された透孔、及び長孔を貫通させて前記上側ケースの嵌合突起と嵌合させることを特徴とする。
【００１０】
請求項２に記載の発明は、前記上側ケース、及び下側ケースは、長辺、短辺を有する長方形状をなし、前記透孔は、当該長方形状の各ケースの一方の短辺に沿った隅部近傍に形成され、前記長孔は、各ケースの他方の短辺に沿った隅部近傍に形成されることを特徴とする。
【００１１】
請求項３に記載の発明は、車両に搭載される通信機との間で通信を行い、遠隔操作にて当該車両の制御を行うカード型キーレスリモコン用携帯機において、電気回路を備える基板と、当該基板を収納する上側ケース、及び下側ケースとからなり、前記上側ケース、及び下側ケースは、互いに嵌合する嵌合突起が互いに隣接する２つの隅部近傍に形成され、且つ、各ケースの前記嵌合突起が形成された隅部から嵌合突起が形成されない隅部へ向かう辺の略中央部の前記上側ケースには、押圧用突起が形成され、前記基板は、隅部の２箇所に前記嵌合突起よりもやや広径の透孔が穿設され、前記下側ケースの２隅部近傍に形成された嵌合突起を前記基板に形成された透孔に貫通させて、前記上側ケースの嵌合突起と嵌合させることを特徴とする。
【００１２】
請求項４の記載の発明は、前記上側ケース、及び下側ケースは、長辺、短辺を有する長方形状をなし、前記透孔は、当該長方形状の各ケースの一方の短辺に沿った隅部近傍に形成され、前記押圧用突起は、各ケースの長辺の略中央部に形成されることを特徴とする。
【００１３】
請求項５に記載の発明は、前記上側ケース、及び下側ケースは、樹脂にて形成されることを特徴とする。
【００１４】
【発明の実施の形態】
以下、本発明の実施形態を図面に基づいて説明する。図１は、本発明の第１の実施形態に係るキーレスリモコン用携帯機の構成を示す分解斜視図、図２は、側面方向の断面図、図３は、当該キーレスリモコン用携帯機に撓みが発生したときの様子を示す側面方向の断面図である。なお、図２，図３は、理解促進のため、厚さ方向（図中上下方向）の長さを誇張して示している。
【００１５】
図示のように、このキーレスリモコン用携帯機１は、電気回路を備えるプリント基板２と、当該プリント基板２を収納するカード形状の収納ケース３から構成されている。また、収納ケース３は、下側ケース４と、該下側ケース４と嵌合してケーシング構造をなす上側ケース５から構成されている。
【００１６】
収納ケース３、即ち、下側ケース４、及び上側ケース５は、長方形状をなしており、その材質は、プラスチック等の樹脂とされている。従って、外部応力が加えられた際には、若干の撓みが発生する。
【００１７】
また、下側ケース４の２つの長辺部４ａに沿った部位（隅部近傍）には、それぞれ２箇所ずつ、合計４箇所に嵌合突起６が形成されている。同様に、上側ケース５の２つの長辺部５ａに沿った部位（隅部近傍）には、それぞれ２箇所ずつ、合計４箇所に嵌合突起７が形成されている。そして、各ケース４，５に形成された嵌合突起６，７が、ゴムブッシュ３０を介して嵌合することにより、下側ケース４と上側ケース５が固定される。また、上側ケース５には、操作用の押しボタンスイッチ１０が取り付けられている。
【００１８】
また、プリント基板２は長方形状をなしており、それぞれの長辺部２ａに沿った部位（隅部近傍）には、円形状の透孔８、及び長孔９が形成されている。更に、該プリント基板２には、ボタン電池１１を含む各種の電気部品が実装されている。
【００１９】
そして、プリント基板２に形成された透孔８、及び長孔９に、下側ケース４に形成された４箇所の嵌合突起６を挿通させ、その後、上側ケース５をかぶせて、該上側ケース５に形成された４箇所の嵌合突起７と、下側ケース４の嵌合突起６とをはめ合わせることにより、プリント基板２を収納ケース３内に収納固定する。
【００２０】
次に、上述にように構成された本実施形態に係るキーレスリモコン用携帯機１の、作用について説明する。
【００２１】
図２に示すように、収納ケース３に応力が加えられず、平坦な形状をなしているときには、内部に収納されているプリント基板２には応力は加えられず、収納ケース３内にて堅固に固定されている。つまり、上側、及び下側の各嵌合突起６，７により、プリント基板２に形成された円形状の透孔８の部分を固定しているので、該プリント基板２は収納ケース３に対して、位置ずれが生じることがない。
【００２２】
また、図３に示すように、収納ケース３に外部応力Ｆ１が加えられると、樹脂製の収納ケース３は、長辺に沿った方向に撓みが発生する。この際、プリント基板２の各長辺部２ａに沿って形成された２箇所の孔のうち、１箇所が長孔９とされているので、各嵌合突起６，７がこの長孔９に沿ってスライドすることになり、収納ケース３に加えられる外部応力Ｆ１が、直接プリント基板２に伝達されることを回避することができる。つまり、収納ケース３に撓みが生じた場合であっても、内部に収納されているプリント基板２は、平坦形状を保持することができる。こうして、プリント基板２に実装されている電気部品の脱落、破損等のトラブルを防止することができるのである。
【００２３】
このようにして、本発明の第１の実施形態に係るキーレスリモコン用携帯機１では、プリント基板２の各長辺部２ａに沿って、それぞれ透孔８、及び長孔９が形成されているので、該プリント基板２を収納ケース３内にて堅固に固定することができ、且つ、収納ケース３に外部応力が加えられ、該収納ケース３に撓みが発生した場合であっても、プリント基板２に無理なストレスが加えられることがなく、確実にプリント基板２を保護することができる。
【００２４】
従って、操作者がこのキーレスリモコン用携帯機１を財布等に入れて携行する場合であっても、当該携帯機１のプリント基板２を損傷するというトラブルの発生を回避することができる。
【００２５】
次に、本発明の第２の実施形態について説明する。図４は、第２の実施形態に係るキーレスリモコン用携帯機の構成を示す分解斜視図、図５は、側面方向の断面図、図６は、当該キーレスリモコン用携帯機に撓みが発生したときの様子を示す側面方向の断面図である。
【００２６】
同図に示すように、このキーレスリモコン用携帯機２１は、前述した第１の実施形態と同様に、電気回路を備えるプリント基板２２と、当該プリント基板２２を収納するカード形状の収納ケース２３から構成されている。また、収納ケース２３は、下側ケース２４と、該下側ケース２４と嵌合してケーシング構造をなす上側ケース２５から構成されている。
【００２７】
収納ケース２３、即ち、下側ケース２４、及び上側ケース２５は、長方形状をなしており、その材質は、プラスチック等の樹脂とされている。従って、外部応力が加えられた際には、若干の撓みが発生する。
【００２８】
また、下側ケース２４の２つの長辺部２４ａに沿った一方の端部付近（隅部近傍）には、嵌合突起２６が形成されている。同様に、上側ケース５の２つの長辺部５ａに沿った一方の端部付近（隅部近傍）には、嵌合突起２７が形成されている。
【００２９】
そして、各ケース２４，２５に形成された嵌合突起２６，２７が互いに嵌合し、且つ、上側ケース２５と下側ケース２４の縁部が係合することにより、下側ケース４と上側ケース５が固定される。
【００３０】
更に、上側ケース２５の２つの長辺部２５ａに沿った略中央部には、下方に向けて突起した押圧用突起２９が形成されている。また、上側ケース２５には、操作用の押しボタンスイッチ３１が取り付けられている。
【００３１】
また、プリント基板２２は長方形状をなしており、それぞれの長辺部２２ａに沿った一方の端部（隅部近傍）には、円形状の透孔２８が形成されている。
【００３２】
そして、プリント基板２２に形成された２箇所の透孔２８に、下側ケース２４に形成された２箇所の嵌合突起２６を挿通させ、その後、上側ケース２５をかぶせて、該上側ケース２５に形成された２箇所の嵌合突起２７と、下側ケース４の嵌合突起２６とをはめ合わせることにより、プリント基板２２を収納ケース２３内に収納固定する。
【００３３】
次に、上述にように構成された本実施形態に係るキーレスリモコン用携帯機２１の、作用について説明する。
【００３４】
収納ケース２３に外部応力が加えられていないときには、図５に示すように、該収納ケース２３は平坦な形状とされ、内部に収納されているプリント基板２２には、無理な力は加えられない。
【００３５】
ここで、図６に示すように、収納ケース２３の端部側に符号Ｆ２に示す如くの応力が加えられると、樹脂製の収納ケース２３は、長辺に沿った方向に撓みが発生する。この際、プリント基板２２は、透孔２８にて下側ケース２４、及び上側ケース２５のそれぞれ２箇所に設けられた各嵌合突起２６，２７にて固定されているだけであるので、収納ケース２３に加えられた力が、プリント基板２２に伝達することを防止することができる。
【００３６】
また、プリント基板２２の各長辺部２２ａに沿った適所に形成された押圧用突起２９がプリント基板２２を押しつけるので、プリント基板２２を、堅固に収納ケース２３内に固定することができる。つまり、プリント基板２２は、２箇所の嵌合突起２６，２７、及び２つの押圧用突起２９により、収納ケース２３内に固定されるので、通常時においてガタが生じることがない。
【００３７】
こうして、プリント基板２２への外部応力の伝達を防止し、該プリント基板２２に実装されている電気部品の脱落、破損等のトラブルを防止することができるのである。
【００３８】
このようにして、本発明の第２の実施形態に係るキーレスリモコン用携帯機２１では、プリント基板２２の各長辺部２ａの一端部に形成された透孔２８、が嵌合突起２６，２７により固定され、更に、上側ケース２５に形成された押圧用突起２９により、当該プリント基板２２が収納ケース２３内に押さえられるので、プリント基板２２を収納ケース２３内に堅固に固定することができる。
【００３９】
更に、収納ケース２３に外部応力が加えられ、該収納ケース２３に撓みが発生した場合であっても、プリント基板２２に無理なストレスが加えられることがなく、確実にプリント基板２２を保護することができる。
【００４０】
従って、操作者がこのキーレスリモコン用携帯機２１を財布等に入れて携行する場合であっても、当該携帯機２１を損傷するというトラブルの発生を回避することができる。
【００４１】
【発明の効果】
以上説明したように、本願請求項１、２、５の発明によれば、基板に形成された透孔、及び長孔に、上側ケース、及び下側ケースに形成された嵌合突起を貫通させてケース内に収納するので、基板を堅固に固定することができる。また、ケースに曲げ応力が加えられ撓みが生じた場合であっても、嵌合突起が基板に形成された長孔をスライドすることにより、曲げ応力の基板への伝達を阻止することができる。従って、基板の損傷、或いは実装部品の脱落といったトラブルの発生を回避することができる。
【００４２】
また、本願請求項３、４、５の発明によれば、基板に形成された透孔に、上側ケース、及び下側ケースに形成された嵌合突起を貫通させ、且つ押圧用突起により基板を押圧固定するので、基板をケース内に堅固に固定することができる。またケースに曲げ応力が加えられ撓みが生じた場合であっても、基板がケースの長辺方向にスライドすることにより、曲げ応力の基板への伝達を阻止することができる。従って、基板の損傷、或いは実装部品の脱落といったトラブルの発生を回避することができる。
【図面の簡単な説明】
【図１】本発明の第１の実施形態に係るキーレスリモコン用携帯機の構成を示す分解斜視図である。
【図２】本発明の第１の実施形態に係るキーレスリモコン用携帯機の、側面方向の断面図である。
【図３】本発明の第１の実施形態に係るキーレスリモコン用携帯機の、側面方向の断面図であり、外部応力が加えられている状態を示す。
【図４】本発明の第２の実施形態に係るキーレスリモコン用携帯機の構成を示す分解斜視図である。
【図５】本発明の第３の実施形態に係るキーレスリモコン用携帯機の、側面方向の断面図である。
【図６】本発明の第２の実施形態に係るキーレスリモコン用携帯機の、側面方向の断面図であり、外部応力が加えられている状態を示す。
【図７】従来におけるキーレスリモコン用携帯機の、側面方向の断面図であり、外部応力が加えられている状態を示す。
【符号の説明】
１，２１  キーレスリモコン用携帯機
２，２２  プリント基板（基板）
２ａ，２２ａ  長辺部
３，２３  収納ケース
４，２４  下側ケース
５，２５  上側ケース
６，２６  嵌合突起（下側）
７，２７  嵌合突起（上側）
８，２８  透孔
９  長孔
１０，３１  押しボタンスイッチ
１１  ボタン電池
２９  押圧用突起
３０  ゴムブッシュ
【図１】
2004241476.tif 000003
【図２】
2004241476.tif 000004
【図３】
2004241476.tif 000005
【図４】
2004241476.tif 000006
【図５】
2004241476.tif 000007
【図６】
2004241476.tif 000008
【図７】
2004241476.tif 000009